(57)【要約】  【課題】シングルフックへの取り付けに好適な表示装置において、取り付け強度に優れていながら着脱を容易ならしめる。  【手段】表示装置は、シングルフック１のベース４に上方から嵌め込み装着される第１支持部材６と、第１支持部材６に取り付けられる第２支持部材７と、第２支持部材７の先端に設けたカードホルダー８とを備えている。第１支持部材６には、フック１の支持バー５の両側に位置した係止部１５が形成されており、第２支持部材７の基板２０は係止部１５を挟むように二股状に形成されている。係止部１５は第２支持部材７の基板２０で左右の広がりが阻止されるため、フック１に対する取り付け強度が高い。【選択図】          図１
2005192587.tif 000002
【特許請求の範囲】
【請求項１】
棚本体に着脱自在に装着されるベースに商品吊り下げ用の支持バーを前向きに延びるように設けて成るフックに取付ける表示装置であって、
前記支持バーと干渉しない状態でフックのベースに上方から嵌め込み装着される第１支持部材と、この第１支持部材に上方から嵌め込み装着される第２支持部材とを備えており、これら第１支持部材と第２支持部材とのうちいずれか一方に前向きに延びるアーム部を設け、アーム部の先端にカードホルダーを設けている、
商品陳列棚用表示装置。
【請求項２】
棚本体に着脱自在に装着されるベースに商品吊り下げ用の支持バーを前向きに延びるように設けて成るフックに取付ける表示装置であって、
前記支持バーと干渉しない状態でフックのベースにその前後両面に重なるように上方から嵌め込み装着される側面視下向き開口略コ字状の支持部材を備えており、この支持部材に、前記ベースの背面よりも手前側において上向きに立ち上がる起立部を設け、この起立部の上端に前向きのアーム部を設け、アーム部の先端にカードホルダーを設けている、
商品陳列棚用表示装置。
【発明の詳細な説明】
【技術分野】
【０００１】
本願発明は、商品を吊り下げ陳列するフックに取付けて価格やバーコード等の各種情報を表示する表示装置に関するものである。
【背景技術】
【０００２】
スーパーマーケットやコンビニエンスストア、ドラッグストア，ホームセンター等の多くの小売り店では、商品を陳列するための方法として、棚本体に装着したフックに商品を吊り下げることが多用されている。
【０００３】
この商品吊り下げ用のフックは、棚本体に水平状に設けた中空角材に取り付けられるタイプと、ネット状の棚本体に取付けられるタイプとがあり、また、商品が吊り下げられる支持バーだけが前向きに突出しているシングルフックと呼ばれているタイプと、支持バーの上方にカードホルダーを取り付けるための補助バーが配置されている十手フックと呼ばれているタイプとがある。
【０００４】
シングルフックは既設の店舗に大量に採用されているが、価格等を表示できない。そこで、シングルフック用として、価格等を表示できる後付け方式の表示装置が提案されている。
【０００５】
その一例として、特許文献１（実用新案登録第３００３４０５号公報）には、フックのベースを跨ぐ状態で棚本体の中空角材に上方から嵌め込まれる支持部材（取付具）の上面に、手前側に向けて延びるアーム（支持棒）を設け、この支持棒の前端にカードホルダーを設けることが記載されている。
【０００６】
また、特許文献２（特開平１０−５７２０３号公報）には、フックのベースに上方から嵌まる側面視コ字状の支持部材（係止部）を、支持バーと干渉しないように平面視で二股状に形成し、支持部材の背面に上向き開口の筒状部を一体に設け、この筒状部に、アームの後端に形成した下向き鉛直部を差し込み、アームの先端にカードホルダーを設けることが記載されている。
【特許文献１】実用新案登録第３００３４０５号公報
【特許文献２】特開平１０−５７２０３号公報
【発明の開示】
【発明が解決しようとする課題】
【０００７】
特許文献１の構成では、支持部材はフックのベースを跨ぐ状態で棚本体の中空中空角材に嵌め込むものであるため、支持部材は左右幅及び前後幅とも大きくなって大型化せざるを得ず、このためスペースを有効利用できないと共に、支持部材がガタ付きやすいという問題があった。
【０００８】
他方、特許文献２の構成では、支持部材の左右横幅寸法はフックのベースと同じ寸法で良いためコンパクト化を図ることができるが、支持部材は側面視で下向き開口コ字状に過ぎないため安定性が低く、支持部材がガタ付きやすいという問題があった。また、支持部材の背面に筒状部が形成されているため、棚本体を構成する中空角材が例えば建物の壁に密接している場合のように中空角材の裏側にスペースがない場合は、支持部材を中空角材に取り付けできなくなるという問題もあった。
【０００９】
本願発明は、このような現状を改善することを課題とするものである。
【課題を解決するための手段】
【００１０】
請求項１の発明は、棚本体に着脱自在に装着されるベースに商品吊り下げ用の支持バーを前向きに延びるように設けて成るフックに取付ける表示装置において、前記支持バーと干渉しない状態でフックのベースに上方から嵌め込み装着される第１支持部材と、この第１支持部材に上方から嵌め込み装着される第２支持部材とを備えており、これら第１支持部材と第２支持部材とのうちいずれか一方に前向きに延びるアーム部を設け、アーム部の先端にカードホルダーを設けている。
【００１１】
請求項２の発明は、棚本体に着脱自在に装着されるベースに商品吊り下げ用の支持バーを前向きに延びるように設けて成るフックに取付ける表示装置であって、前記支持バーと干渉しない状態でフックのベースにその前後両面に重なるように上方から嵌め込み装着される側面視下向き開口略コ字状の支持部材を備えており、この支持部材に、前記ベースの背面よりも手前側において上向きに立ち上がる起立部を設け、この起立部の上端に前向きのアーム部を設け、アーム部の先端にカードホルダーを設けている。
【発明の効果】
【００１２】
請求項１のように構成すると、第１支持部材と第２支持部材とが嵌まり合っていて互いに補強し合うため、両支持部材はフックにしっかりと保持され、その結果、例えばカードホルダーに人や商品が触れても簡単には外れない状態になって、カードホルダーの取付け安定性を格段に向上することができる。
【００１３】
また、フックは支持バーの長さの異なるものが複数種類存在するが、請求項１の発明によると、アーム部を設けている支持部材のみを複数種類製造する一方、アーム部がついていない支持部材は各種のフックに共用することが可能となり、このため、複数種類のフックに対応するにおいて経済性に優れている。なお、アーム部を別部材とすることも可能であり、この場合は、両支持部材とも各種のフックに使用できる。
【００１４】
請求項２のように構成すると、アーム部を設ける起立部はフックにおけるベースの背面よりも手前側に位置しているため、棚の裏側にスペースが空いていなくても表示装置を取り付けることができ、このため汎用性に優れている。
【発明を実施するための最良の形態】
【００１５】
次に、本願発明の実施形態を図面に基づいて説明する。
【００１６】
(1).第１実施形態（図１〜図８）
図１〜図８では第１実施形態を示している。図１のうち（Ａ）はシングルフック１と表示装置２との分離斜視図である。図２のうち（Ａ）は平面図、（Ｂ）は側面図、図３のうち（Ａ）は図２の IIIA-IIIA視断面図、（Ｂ）は図２の IIIB-IIIB視断面図、図４のうち（Ａ）は図３のIVA-IVA 視断面図、（Ｂ）は図３のIVB-IVB 視断面図である。
【００１７】
シングルフック１は、棚本体を構成する角筒状の受け桟３に上方から着脱自在に嵌まるベース（ハンガー）４と、ベース４の上面に溶接されて手前側に延びる支持バー５とから成っている。支持バー５の先端部は水平に対して３０°程度の角度で上向きに傾斜している。ベース４は板金製であり、支持バー５は金属線材製である。
【００１８】
表示装置２は、支持バー５の基部に着脱自在に取付く第１支持部材６と、この第１支持部材６に取付く第２支持部材７と、カードホルダー８とを備えている。両支持部材６，７はＡＢＳ樹脂やナイロン樹脂等の硬質又は比較的硬質の樹脂を素材として射出成形法で製造されている。
【００１９】
第１支持部材６は、支持バー５におけるベース４の前後両面と上面とに重なるように、前板９と天板１０と背板１１とを備えた側面視で下向き開口コ字状に形成されている。天板１０には、シングルフック１の支持バー５に上方から嵌合するトンネル部１２が形成されている。トンネル部１２の存在により、強度アップとガタ付き抑制とが図られている。
【００２０】
第１支持部材６における前板９は、支持バー５が嵌まり得る間隔の上部開口１３を介して左右に分離しており、かつ、上部開口１３の下方には、全体として下向き開口Ｕ字状の幅広開口１４が連続している。従って、前板９は正面視で二股状に形成されている（支持バー５が嵌まるだけの溝幅が上下に延びているだけでも良い）。また、第１支持部材６における前板９には、上部開口１３を挟んで平面視Ｌ形の係止部１５が一体に形成されており、このため、係止部１５と前板９とにより、左右外側に開口した蟻溝１６が形成されている。
【００２１】
左右係止部１５の相対向した部分には、幅宏開口１の上部の円弧面と同心状のくびれ部１７が形成されている。このくびれ部１７は、支持バー５に弾性に抗しての変形によって嵌合する寸法に設定している。すなわち、左右係止部１５を互いの間隔が広がるように弾性変形させることにより、くびれ部１７の箇所で支持バー５を挟持できるように設定している。背板１１の下端部内面には、ベース４の下端縁に当たる突条１８を形成している。
【００２２】
第２支持部材７は、第１支持部材６の蟻溝１６に嵌まり込むように正面視で二股状に形成された基板（板状の基部）２０と、基板２０の上部から手前に向けて延びるアーム部２１と、基板２０に連設しつつアーム部２１の付け根部から下方に延びるストッパー部２２と、アーム部２１の先端に設けた軸受け部２３とを備えている。第２支持部材７の基板２０は、請求項２に記載した起立部に該当する。
【００２３】
ストッパー部２２は、シングルフック１の支持バー５に上方から当たるようになっている。また、基板２０には、その下向き開口溝を挟んだ内側縁に上下の円弧状切欠き２４，２５が形成されている。上部の切欠き２４は、ストッパー部２２が当たった状態での支持バー５と同心状に形成されており、下部の切欠きは、第１支持部材６のくびれ部１７と同心状に形成されている。アーム部２１は断面逆Ｔ字状に形成しているが、断面形状は四角形や円形など自由に選択できる。
【００２４】
次に、図５及び図６も参照してカードホルダー８と軸受け部２３との関係を説明する。図５のうち（Ａ）はアーム部２１とカードホルダー８との分離側面図、（Ｂ）はカードホルダー８の背面図、（Ｃ）はカードホルダー８の平面図、（Ｄ）（Ｅ）はカードホルダー８を組み込まれた状態での表示具の前部の縦断側面図、図６のうち（Ａ）は図５（Ａ）のVIA -VIA視図、（Ｂ）は（Ａ）にカードホルダー８を嵌め込んだ状態の図である。
【００２５】
第２支持部材７の軸受け部２３は側面視で二股状に形成されている。他方、カードホルダー８は透明な樹脂製であり、前板２５と後板２６とをその下端で連設して折り返し状に形成しており、前後板２５，２６の間の隙間にカード類Ｃを挟み込むように設定している。
【００２６】
後板２６には、カード類Ｃを前板２５に押さえるための突起２７と、カード類Ｃを取り出すに際して指を掛けるための切欠き２８とを形成している。突起２７の存在により、カード類Ｃを挿入し易いにも拘らず、ずれ不能に保持できる。なお、切欠き２８は図５（Ｂ）に一点鎖線で示すように上側の左右コーナー部に形成しても良い。
【００２７】
カードホルダー８における後板２６には、ブラケット部２９を介して水平状の支軸３０を一体に形成しており、この支軸３０を第２支持部材７の軸受け部２３に嵌め込んでいる。第２支持部材７の軸受け部２３は平面視で略円形に形成されており、その中空部は、支軸３０を水平旋回させ得るような奥行き寸法に設定されており、かつ、平面視で支軸３０がアーム部２１と直交する姿勢と、平面視で支軸３０が傾斜した姿勢となるように、支軸３０と嵌合する浅い係合溝３１を形成している。
【００２８】
本実施形態では、支軸３０が平面視で左右両側に４５°の角度を以ってアーム部２１と傾斜するように設定しているが、傾斜角度は任意に設定できる。３段階の切り換えに限らず、左右両側に複数段階ずつ（例えば３０°と４５°）姿勢を変更できるようにすることも可能である。軸受け部２３への支軸３０の嵌め込みは、軸受け部２３の弾性に抗して嵌め込むが、支軸３０が係合溝３１に嵌まっている状態では必ずしも軸受け部２３に弾性復元力が作用している必要はない。
【００２９】
カードホルダー８は、支軸３０を各係合溝３１に係合させた状態で上方に跳ね上げ回動させることができる。また、カードホルダー８が鉛直状の姿勢のとき、カードホルダー８の裏面に軸受け部２３の下部が当たるように設定しており、このためカードホルダー８は鉛直状の姿勢に保持される。
【００３０】
更に、図５（Ｄ）に示すように、カードホルダー８を大きく跳ね上げると、カードホルダー８の重心が支軸３０の中心よりも後方に移動するように設定している。このため、例えば商品Ｇを補充する場合に便利である。
【００３１】
支軸３０と軸受け部２３との関係では、支軸３０と軸受け部２３との間に常に摩擦抵抗が生じるように設定しておいて、カードホルダー８を任意の跳ね上げ角度に保持できるようにしても良いし、鉛直姿勢と跳ね上げ姿勢との２つの姿勢のみを保持し得るように設定しても良い。或いは、跳ね上げたあと指を離すと自重で常に鉛直姿勢に戻るように設定することも可能である。
【００３２】
以上の構成において、第１支持部材６の係止部１５が第２支持部材７の基板２０で左右両側から挟まれているため、両支持部材６，７は互いに補強し合った状態になり、このためフック２のベース４に対する両支持部材６，７の取付け強度が格段に向上し、結果としてカードホルダー８の取付け安定性も格段に向上する。
【００３３】
さて、第１支持部材６の上向き抜けはくびれ部１７が支持バー５に嵌まっていることによって図られているが、第１支持部材６のみの弾性力でしっかりと上向き抜け不能に保持しようとすると、係止部１５の弾性復元力を大きくしなけれはならず、そうすると支持バー５への着脱が厄介になる。
【００３４】
これに対して本実施形態では、第１支持部材６の係止部１５と第２支持部材７の基板２０との２つの部材の弾性力を利用して支持バー５を挟持しているため、第１支持部材６の係止部１５と第２支持部材７の基板２０との２つの部材の個々の弾性力はさほど大きくする必要はなく、このため、着脱を軽い力で行えるものでありながら、上向き抜け不能の状態にしっかりと保持できるのである。
【００３５】
本実施形態のように第２支持部材７に板状のストッパー部（リブ）２２を設けると、ストッパー部２２の補強機能により、アーム部２１の支持強度を向上できる利点がある。
【００３６】
ところで、図７に示すように、ベース４の前板９から支持バー５を突設したシングルフック１が存在している。本願の第１実施形態に係る表示装置２はこのタイプのフックにも取付けることができる。図８（Ａ）はこのタイプのフック１に表示装置２を取付けた状態での正面図、（Ｂ）は（Ａ）のＢ−Ｂ視断面図である。
【００３７】
この使用例では、第１支持部材６における係止部１５のくびれ部１７で支持バー５を挟持するように設定している。このため、第１支持部材６で支持バー５をきっちり挟んだ状態が保持される。また、ベース４のうち支持バー５の付け根箇所は前向きに膨れているが、第１支持部材６の前板９に幅広開口１４を形成しているため、前板９とベース４とが干渉することはない。
【００３８】
この使用例でも第２支持部材７のストッパー部２２はフック１の支持バー５に上方から当たっており、このため、フック１の支持バー５とカードホルダー８との相対的な高さ関係に違いはなくて、商品の出し入れに支障はない。
【００３９】
(2).第２実施形態（図９〜図１０）
図９及び図１０では、支持バー５の上方に補助バー３３を備えている十手フック３４への使用も可能な表示装置２を示している。図９は分離斜視図、図１０のうち（Ａ）は分離正面図、（Ｂ）は（Ａ）のＢ−Ｂ視断面図である。
【００４０】
ところで、十手フック３４の補助バー３３はその先端が上向きに曲がっているものが多く、その場合は、上向きに曲がった先端部にカードホルダーを差し込み装着しているが、図９に示すように、先端が曲がっておらずにストレートになっているものがある。この場合はカードホルダーを強制嵌合しなければならず、このため、融通が利かない欠点である。
【００４１】
そこで第２実施形態では、第１支持部材６を十手フック３４の上下バー５，３３に嵌合するように形成している。この実施形態では、第１支持部材６のトンネル部１２が十手フック３４の補助バー３３に嵌合することになる。図示していないが、第２支持部材７のアーム部２１には第１実施形態と同じカードホルダー８が取り付けられる。
【００４２】
この実施形態の両支持部材６，７は基本的には第１実施形態と同じであるが、一つの特徴として、第１支持部材６の背面板１１に、バー５，３３が嵌合し得る後部開口３５を下向きに開口するように形成している点がある。この後部開口３５の存在により、両バー５，３３の後端がベース４の背面よりも後方に突出していても、第１支持部材６は支障なくフック３４に嵌め込み装着することができる。
【００４３】
第１支持部材６の背面板１１に後部開口３５を形成することに代えて、一点鎖線で示すように、背面板１１に、両バー５，３３との干渉を回避するための後ろ向き突部３６を形成することも可能であり、こうすると背面板１１の強度低下を防止できる。凸部３６とトンネル部１２とは一体に連接しても良い。
【００４４】
十手フック３４における補助バー３３の先端が上向きに曲がっている場合、カードホルダーを水平旋回可能に取り付けることは行われているが、上下跳ね上げ回動するように取り付けることは困難である。この点、本実施形態の表示装置２を使用することにより、ストレート状の補助バー３３を備えた十手フック３４に、カードホルダーを水平姿勢変更自在てかつ跳ね上げ回動自在に取り付けることができる。なお、この第２実施形態の表示装置２はシングルフック１にも使用できるものであり、十手フック３４に専用という訳ではない。
【００４５】
(3).第３実施形態（図11）
図１１では第３実施形態を示している。図１１のうち（Ａ）は後方から見た分離斜視図、（Ｂ）は別用途の一部破断分離斜視図、（Ｃ）は平断面図である。
【００４６】
この実施形態では、第１支持部材６に左右の係止部１５を設けるに当たって第１実施形態とは向きを逆にしており、このため、蟻溝１６は相対向するように開口している。従って、第２支持部材７の基板２０は第１支持部材６よりも幅狭に形成されている。
【００４７】
また、第２支持部材７の基板２０には、第１支持部材６の左右係止部１５の間にきっちり嵌まり込む厚肉部２０ａを形成している。また、第２支持部材７の基板２０に左右２段の切欠き３７を形成している一方、第１支持部材６における蟻溝１６の内面には、切欠き３７と係合する突起（図示せず）を設けている。また、第１支持部材６の天板１０には、フック１の支持バー５を挟む左右一対の案内板３８を下向き突設している。このため安定性に優れている。
【００４８】
なお、第１支持部材６の後面板１１には後部開口３５が形成されているが、１枚板に連続していても良い。また、（Ｂ）に示すように、第２支持部材７に補強リブ３８を設けても良い。
【００４９】
この実施形態では、先に第２支持部材７の記は２０をシングルフック１の支持バー５に嵌め込み、それから第１支持部材６を第２支持部材７に嵌め込むのが好ましい。第２支持部材７の基板２０を支持バー５に嵌め込むと、第１支持部材６は殆ど弾性変形させることなく基板２０に嵌め込みできるため、取り付け作業を軽い力で行うことができる。もちろん、先に第１支持部材６をフック１に嵌め込むことも可能である。
【００５０】
（Ｂ）に示すように、この実施形態の表示装置２は、線材Ｎを縦横に交叉させて成るネット式陳列棚に取付けるシングルフック１にも適用できる。このため、第１支持部材６の係止部１５の上端に外向き鉤部１５ａを形成しており、この外向き鉤部１５ａを、シングルフック１における板状ベース４にその上端の切欠き部４ａの箇所で嵌合させている。言うまでもないが、外向き鉤部１５ａがベース４に嵌合した状態で、支持バー５が第１支持部材６の後部開口３５に嵌まっている。
【００５１】
第２支持部材７の基板２０は第１支持部材６の蟻溝１６に嵌まっているが、第２支持部材７は中空角材方式陳列棚用フックの場合と逆の姿勢で第１支持部材６に取付くため、第１支持部材６には、第２支持部材７における基板２０の厚肉部２０ａが嵌まる逃がし部１６ａを形成している。
【００５２】
本実施形態では、第１支持部材６はその姿勢を変えることによって中空角材方式陳列棚用フックとネット方式陳列棚用フックとに共用できるが、このように共通の支持部材を使用しながらその取り付き姿勢を変えることによって２種類のフックに対応できるのは、支持部材を２種類に分離したからに他ならず、この点は本願発明の優れている点である。
【００５３】
(4).第４実施形態（図12）
図１２では第４実施形態を示している。この実施形態では、第２支持部材７に前向きボス部７ａを形成し、この前向きボス部７ａに中空状のアーム部２１を差し込み装着し、アーム部２１に軸受け部２３の基部２３ａを差し込み装着している。このように、第２支持部材７とアーム部２１と軸受け部２３とを別々の部材で構成しても良い。この実施形態では、フックの長さに簡単に対応できる利点がある。
【００５４】
なお、軸受け部２３がアーム部２１の軸心回りに回転するのを阻止するため、アーム部２１の内部は（Ｂ）の断面図に示す角形のような非円形の断面形状にするのが好ましい。
【００５５】
(5).第５実施形態（図13）
図１３では第５実施形態を示している。この実施形態では、第１支持部材６の前板９と背板１１との下端にそれぞれベース４の下端縁に係合する突起１８を設ける一方、第２支持部材７は、第１支持部材６の前板９と背板１１とに重なる前面板７ｂと後面板７ｃとを備えた形態として、これら前面板７ｂと後面板７ｃとの下端に、第１支持部材６の前板９と背板１１との下端に係合する内向き突起７ｄを形成している。
【００５６】
(6).その他
本願発明は上記の実施形態の他にも様々に具体化できる。例えば、ネット方式の棚に取り付けるられるフックにも適用できる。また、請求項２では支持部材は単一でも良いのであり、従って、例えば第１実施形態の第１支持部材に起立部を介してアーム部を一体に設けた構造とすることも可能である。
【００５７】
また、カードホルダーの構造は自由に設定できるのであり、必ずしも可動式である必要はない。カードホルダーをアーム部に一体成形しても良い。第１支持部材と第２支持部材との嵌め合わせ方式も、図示したもの以外の様々の構造を採用できる。なお、第１支持部材と第２支持部材とに加えて補助部材を設けても良い。
【図面の簡単な説明】
【００５８】
【図１】第１実施形態を示す図で、（Ａ）はシングルフックと表示装置２との分離斜視図、（Ｂ）はカードホルダーを背面斜視図である。
【図２】（Ａ）は平面図、（Ｂ）は側面図である。
【図３】（Ａ）は図２の IIIA-IIIA視断面図、（Ｂ）は図２の IIIB-IIIB視断面図である。
【図４】（Ａ）は図３のIVA-IVA 視断面図、（Ｂ）は図３のIVB-IVB 視断面図である。
【図５】表示装置の前部示す図である。
【図６】（Ａ）は図５（Ａ）のVIA -VIA視図、（Ｂ）は（Ａ）にカードホルダー８を嵌め込んだ状態の図である。
【図７】シングルフックの別例を示す図である。
【図８】図７のフックへの使用状態を示す断面図である。
【図９】第２実施形態を示す図である。
【図１０】第２実施形態を示す図である。
【図１１】第３実施形態を示す図である。
【図１２】第４実施形態を示す図である。
【図１３】第５実施形態を示す図である。
【符号の説明】
【００５９】
１  フック（シングルフック）
２  表示装置
４  フックのベース
５  フックの支持バー
６  第１支持部材
７  第２支持部材
８  カードホルダー
１３  上部開口
１４  幅広開口
１５  係止部
１６  蟻溝
２０  第２支持部材の基板（立ち上がり部）
２１  アーム部
【図１】
2005192587.tif 000003
【図２】
2005192587.tif 000004
【図３】
2005192587.tif 000005
【図４】
2005192587.tif 000006
【図５】
2005192587.tif 000007
【図６】
2005192587.tif 000008
【図７】
2005192587.tif 000009
【図８】
2005192587.tif 000010
【図９】
2005192587.tif 000011
【図１０】
2005192587.tif 000012
【図１１】
2005192587.tif 000013
【図１２】
2005192587.tif 000014
【図１３】
2005192587.tif 000015